(57)【特許請求の範囲】
【請求項１】
フィルムロールからフィルム先端部を引き出し、そのフィルム先端部の幅方向両側縁部を挟持して搬送する左右一対のフィルム搬送手段の始端側にフィルム挟持部を設け、前記フィルム搬送手段によりフィルムを所定長さ引き出してフィルムにミシン目を形成し、該ミシン目がフィルム挟持部を通過するとフィルムのミシン目より下流側のフィルムのみを搬送し、該搬送されたフィルムを包装部に張架し、張架したフィルムに対して被包装物を下方から突き上げて、該被包装物の上面をフィルムで覆い、更にそのフィルムの端部を被包装物の底面側に折り込んで包装するストレッチフィルム包装機において、
前記フィルム搬送手段の始端側に設けたフィルム挟持部より上流側に、フィルムロールから引き出したフィルム先端部を係止保持するフィルム先端保持手段を設け、そのフィルム先端保持手段はフィルム搬送手段の始端部から離間する第１の位置と、前記係止保持したフィルム先端部が前記フィルム搬送手段の始端部に差し込まれる第２の位置と、に移動可能とし、フィルムセット時、前記フィルム先端保持手段にフィルムロールから引き出したフィルム先端部を係止して第１の位置から第２の位置へ移動させることで、該フィルム先端部をフィルム搬送手段の始端部に挟入自在としたことを特徴とするストレッチフィルム包装機。
【請求項２】
前記フィルム先端保持手段は、フィルムロール設置部の上方で、且つ、包装機の側部に設けた回動可能なカバーの内側に設けられ、カバーを開けてフィルム先端保持手段にフィルム先端部を係止し、カバーを閉じることで前記フィルム先端部がフィルム搬送手段の始端部に移送挟入されるようにしたことを特徴とする請求項１記載のストレッチフィルム包装機。
【請求項３】
前記フィルム先端保持手段は、カバーの内側に所定間隔をおいて設けた２個のフィルム保持部材で構成されていることを特徴とする請求項２記載のストレッチフィルム包装機。
【請求項４】
前記２個のフィルム保持部材は、何れか一方、又は両方がフィルム幅に応じてフィルムの幅方向に移動自在としたことを特徴とする請求項３記載のストレッチフィルム包装機。
【請求項５】
前記フィルム先端保持手段が、１枚の櫛歯状に形成されていることを特徴とする請求項２記載のストレッチフィルム包装機。
【請求項６】
前記フィルム先端保持手段は、少なくともフィルムが係止される部分に、フィルムとの密着性を高める処理が施されていることを特徴とする請求項１乃至５の何れか１項に記載のストレッチフィルム包装機。
【請求項７】
前記フィルム先端保持手段に施されるフィルムとの密着性を高める処理は、鏡面仕上げ加工であることを特徴とする請求項６記載のストレッチフィルム包装機。
【発明の詳細な説明】
【０００１】
【発明の属する技術分野】
本発明はスーパーマーケットのバックヤード等で生鮮食品をストレッチフィルムを用いてストレッチ包装する包装機に関し、更に詳しくは包装に使用するストレッチフィルムのフィルムセットに関する。
【０００２】
【従来の技術】
一般に、トレイに入れた生鮮食品（被包装物）をストレッチフィルムで包装する包装機は、ストレッチフィルムを包装部に水平に張架し、そのフィルムに対し下方より被包装物をエレベータ等に載せて突き上げ、その突き上げによって被包装物の上面を前記フィルムで覆い、更にそのフィルムの端部を被包装物の底面側に折り込んで包装を完成するようになっている。
そして、包装部へのフィルムの張架は、包装機に装着したフィルムロールから引き出したフィルムの先端を、フィルムの幅方向の両側部を挟持して搬送する左右一対のフィルム搬送手段に移送して搬送する。
【０００３】
上記フィルム搬送手段にフィルム先端部を移送する手段としては、例えば特開平９−９５３１６号公報で提案されているような、フィルムロール配置部とフィルム搬送手段の始端部との間に、フィルムロールから引き出されたフィルム先端部を保持して前記フィルム搬送手段の始端部まで移送して受け渡すフィルム移送手段が挙げられる。
そして、上記フィルム移送手段を設けたストレッチフィルム包装機は、フィルムのセットは容易であるが、フィルム移送手段及びフィルム搬送手段付近の構造が複雑になり、包装機全体の価格が高価となる問題点を有している。
【０００４】
又、フィルム搬送手段タイプのストレッチフィルム包装機で、前記したフィルム移送手段を備えないものの場合は、フィルムロールから引き出したフィルム先端部を直接手でフィルム搬送手段へセットする手法が採られている。
【０００５】
【発明が解決しようとする課題】
しかして、前記フィルム移送手段を備えないストレッチフィルム包装機の場合は、フィルムの移送セットに関する構造を簡素化できる利点があるが、フィルムをセットする際、手を機械内に挿入する必要があるためにフィルム搬送手段の始端側付近に手を挿入する為のスペースを設ける必要があり、その為、包装機全体が大きくなるという問題があった。
更に、フィルムロールから引き出したフィルム先端部を直接手でフィルム搬送手段へセットする為、作業不慣れなオペレータの場合はフィルムセットに時間がかかるという問題がある。
【０００６】
本発明は上記した従来の技術が有する問題点に鑑みてなされたもので、機械内に手を入れることなくフィルム搬送手段にフィルムをセットすることができ、且つフィルムセットに関係する構成を簡素化でき、コンパクトで安価なストレッチフィルム包装機を提供することを目的とする。
【０００７】
【課題を解決するための手段】
上記目的を達成する為に本発明が講じた技術的手段は、フィルムロールからフィルム先端部を引き出し、そのフィルム先端部の幅方向両側縁部を挟持して搬送する左右一対のフィルム搬送手段の始端側にフィルム挟持部を設け、前記フィルム搬送手段によりフィルムを所定長さ引き出してフィルムにミシン目を形成し、該ミシン目がフィルム挟持部を通過するとフィルムのミシン目より下流側のフィルムのみを搬送し、該搬送されたフィルムを包装部に張架し、張架したフィルムに対して被包装物を下方から突き上げて、該被包装物の上面をフィルムで覆い、更にそのフィルムの端部を被包装物の底面側に折り込んで包装するストレッチフィルム包装機において、前記フィルム搬送手段の始端側に設けたフィルム挟持部より上流側に、フィルムロールから引き出したフィルム先端部を係止保持するフィルム先端保持手段を設け、そのフィルム先端保持手段はフィルム搬送手段の始端部から離間する第１の位置と、前記係止保持したフィルム先端部が前記フィルム搬送手段の始端部に差し込まれる第２の位置と、に移動可能とし、フィルムセット時、前記フィルム先端保持手段にフィルムロールから引き出したフィルム先端部を係止して第１の位置から第２の位置へ移動させることで、該フィルム先端部をフィルム搬送手段の始端部に挟入自在とした（請求項１）。
これにより、フィルムロールから引き出したフィルム先端部を、フィルム先端保持手段に係止して、該フィルム先端保持手段を第１の位置から第２の位置へ移動させることで、フィルム先端部をフィルム搬送手段に渡すことが出来る。そして、そのセットは包装機内に手を挿入することなく行うことが出来る。
【０００８】
前記フィルム先端保持手段の具体的な構成としては、フィルムロール設置部の上方で、且つ、包装機の側部に設けた回動可能なカバーの内側に設けられ、カバーを開けてフィルム先端保持手段にフィルム先端部を係止し、カバーを閉じることで前記フィルム先端部がフィルム搬送手段の始端部に移送挟入されるようする（請求項２）。それにより、カバーを外側に開き、そのカバー内側に設けられたフィルム先端保持手段にフィルム先端を係止し、カバーを閉じる方向に移動することでフィルム先端をフィルム搬送手段に渡して搬送可能な状態に出来る。
【０００９】
又、前記カバーの内側に設けるフィルム先端保持手段を、フィルムの幅方向に間隔をおいて設けた２個のフィルム保持部材で構成することができる（請求項３）。これにより、フィルム幅と同じ長さのフィルム保持部材を使用することなく、フィルム先端保持手段を構成でき、軽量で簡素化できる。
更に、その２個のフィルム保持部材は、何れか一方、又は両方をフィルム幅に応じてフィルムの幅方向に移動自在としてもよい（請求項４）。これにより、包装機に装着するフィルム幅に応じて、フィルム保持部材の一方又は両方を移動することで、様々なフィルム幅のフィルムに対応することができる。
【００１０】
更にまた、前記フィルム先端保持手段は、フィルム搬送手段を構成するベルト幅よりやや幅広の切欠き部を、１枚の平板に所定の間隔をおいて並設した櫛歯状に形成してもよい（請求項５）。この場合は、前記したようにフィルム保持部材の一方又は両方を移動させずに、様々なフィルム幅のフィルムに対応することができる。
又、前記フィルム先端保持手段は、少なくともフィルムが係止される部分に、フィルムとの密着性を高める処理を施してもよい（請求項６）。その処理としては、例えば鏡面仕上げ加工が挙げられる（請求項７）。それにより、フィルム先端部をフィルム先端保持手段に確実に係止保持でき、フィルム先端保持手段の移動時にフィルム先端部が該フィルム先端保持手段から外れるのを防止できる。それにより、フィルムセットの失敗を防止できる。
【００１１】
【発明の実施の形態】
以下、本発明の実施の形態を図面に基いて説明する。
図１は、インフィード手段を備えず、被包装物を載置する載置台をエレベータで構成したストレッチフィルム包装機の概略を示し、その包装機Ａは略直方体形状をした機枠１内の略中央位置に、被包装物ａを載承して上下するエレベータ２が配置され、そのエレベータ２の上限位置より僅か下方位置には包装に使用するフィルムを張架保持する包装部ｂが設けられ、その包装部ｂの側方には被包装物ａを包装するフィルムを供給するロール配置部３が設けられ、そのロール配置部３にフィルムロール４がセットされている。
【００１２】
又、前記ロール配置部３の上方位置から前記包装部ｂ上を通過する経路にはフィルム搬送手段５が配置されており、そのフィルム搬送手段５によりフィルムロール４から繰り出されるフィルム４’の両側部を挟んで所定長さ引出し切断すると共に、切断されたフィルム４’を包装部ｂに張架するようにしてある。
【００１３】
更に、前記搬送手段５の上方には、左右折込み板６，６’及び後折込み板７を配置して、被包装物ａの上面を覆うフィルム４’の端部を被包装物ａの底面側に折り込むようにし、後折込み板７の上方には排出プッシャー８を配置して包装済みの被包装物ａ’をヒートシール部９へ向けて水平に押動排出し得るように構成されている。尚、ヒートシール部９への押動によりフィルム４’の前端部が被包被包装物ａの底面側に折り込まれ、その折り込まれたフィルムの端部は該ヒートシール部９でヒートシールされて包装を完成する。
又、前記エレベータ２の下方位置には計量台１０が配置され、被包装物ａを載承したエレベータが下限位置に下降した時、前記被包装物ａが計量台１０で載承され、計量し得るように構成されている。
【００１４】
前記エレベータ２は、被包装物ａを載置する載置台であると共に、包装部ｂに張架されたフィルム４’に対して下方から被包装物ａを突き上げて該被包装物ａの上面をフィルム４’で包む働きをなすもので、昇降部２ａと、エレベータヘッド２ｂとを備え、昇降部２ａはエレベータヘッド２ｂが取り付けられる上面板２０１とその上面板２０１の幅方向両端に下方に向けて垂直に取り付けた側板２０２，２０２’とで略門形に構成され、その左右の側板２０２，２０２’に亘って連結板２０３の一端部が取り付けられ、連結板２０３の他端部は機枠１に連結されている。又、左右の側板２０２，２０２’と機枠１には前記連結板２０３の下方に位置してリンク２０４，２０４’が取り付けられて、昇降リンク機構が構成されている。
そして、前記昇降部２ａは、電動モータ２０５の回転が回転軸２０６、回転軸２０６に連結した作動杆２０７、および作動杆２０７に連結した縦杆２０８を介して上下方向に作動され、一定の範囲を上下昇降する。
又、エレベータ２における上下１サイクルの始動位置と終了位置は、被包装物ａを載置したり、包装が行われる上限位置に設定されている。
【００１５】
又、上記昇降部２ａの上面板２０１は、上下方向に貫通する隙間１１が平面略櫛歯状に構成され、その上面板２０１と対応する下方位置に計量台１０が配置され、エレベータ２が下降した時、前記隙間１１内に計量台１０が嵌入突出してエレベータ２上の被包装物ａを載承し、被包装物ａの重量を計量し得るように構成されている。尚、エレベータ２が下限位置に下降し、計量台１０による被包装物ａの計量が完了するまでは、エレベータ２の上昇は停止される。
【００１６】
櫛歯状をなした上面板２０１の上面に取り付けられるエレベータヘッド２ｂは、棒杆の上部にヘッド部材が倒伏可能に取り付けられた今日周知のもので、そうしたヘッドが複数本、前後及び左右方向に所定の間隔をおいて起立設置されている。
そして、上記エレベータ２のエレベータヘッド２ｂ上への被包装物ａの載置は、該エレベータ２が上限位置に位置する時行われ、被包装物ａが載置された後、エレベータ２が下降する。
エレベータ２の下降は、エレベータ２のエレベータヘッド２ｂ上における被包装物ａの有無が検出されて行われるように構成されている。
上限位置に位置するエレベータ２上に被包装物ａが載置されているか否かの検出は、エレベータ２の上限位置となる包装部ｂに配置した物品検出センサ１３で検出され、その物品検出センサ１３の検出信号により前記エレベータ２の下降が開始される。
【００１７】
フィルム搬送手段５は、包装部ｂより上流位置に配置されたロール配置部３にセットされたフィルムロール４から繰り出されるフィルムの先端部両側を挟持して保持すると共に、包装に必要な長さ宛引き出して切断し、包装部ｂに張架保持するものである。
そのフィルム搬送手段５は、フィルムの幅方向の側端部を挟持する上下一対の無端状の弾性ベルト５ａ，５ａ’と、下側の弾性ベルト５ａ’を上側の弾性ベルト５ａ側へ圧接するクランプ板５ｂと、下側の弾性ベルト５ａ’の始端側の上面に重ね合わせて配置した押えベルト５ｃとで構成され、それらが包装部ｂを挟んで前後に配置されている。
そして、前記した前後一対の構成部材は、それぞれ取り付け枠５ｄ，５ｄ’に支持され、その取り付け枠５ｄ，５ｄ’は所定の間隔をおいて機枠１に固定されている。
【００１８】
上記フィルム搬送手段５を構成する上下一対の無端状の弾性ベルト５ａ，５ａ’はフィルムを挟持して搬送し得るように同方向に駆動回転される。その駆動方式は、減速機付モータ５ｅで下側の弾性ベルト５ａ’が巻回されている駆動ローラ５ｆ’を回転し、且つその駆動ローラ５ｆ’の軸に固着したプーリー（図示せず）と上側の弾性ベルト５ａが巻回されている駆動ローラ５ｆの軸に固着したプーリー（図示せず）とに亘ってベルトを巻回して動力伝達が行われ、上側の弾性ベルト５ａも回転するように構成されている。尚、上下の弾性ベルトはフィルムの挟持及び搬送が安定よく確実に行われるように、途中にテンション調節機構が装備されている。
【００１９】
又、上側の弾性ベルト５ａに対して下側の弾性ベルト５ａ’を圧接するクランプ板５ｂは、図２に示すように３個に分割され、その３個のクランプ板は電磁ソレノイド等によってそれぞれ独立して上下方向に駆動され、下側の弾性ベルト５ａ’に押し付け、下側の弾性ベルト５ａ‘から離反されるように構成されている。従って、３分割されたクランプ板５ｂの解放のタイミングは別々に変化させることができる。
【００２０】
更に、上記フィルム搬送手段５の始端側には、フィルムの先端部を下側の弾性ベルト５ａ’と押えベルト５ｃとで圧着してフィルムの移動を止めるフィルム挟持部１２が設けられ、そのフィルム挟持部１２より上流側にフィルムロール４から繰り出されるフィルムに切断のためのミシン目を入れるミシン目刃１８が、フィルム面に対し直角方向に進退するように配置されている。又、前記フィルム挟持部１２より上流側で、ミシン目刃１８より下流側にはフィルムロール４から引き出したフィルム先端部を係止保持するフィルム先端保持手段１９が、機枠１の側部に設けた開閉自在なカバー２０の内側に設けられている。
【００２１】
フィルム先端保持手段１９は、金属製小片２１を断面略Ｌ字形に折り曲げ、その水平片２１ａに、前記フィルム搬送手段５におけるフィルム挟持部１２のベルト幅よりやや幅広い切欠部２２を所定深さ切欠き形成したフィルム保持部材１９ａ，１９ｂで構成されている。そして、このフィルム保持部材１９ａ，１９ｂは、カバー２０の内側に架設した取付桟２０’に前記した左右一対のフィルム搬送手段５の設置間隔と同じ間隔をおいて固着されている。
そして、フィルム保持部材１９ａ，１９ｂにおけるフィルム先端部が係止される面、即ち、切欠部２２を切り欠いた水平片２１ａの上面にはフィルムの密着係止を確実にする係止面２３が形成されている。その係止面２３は、フィルムの密着性を高める鏡面仕上げ加工によって構成されている。
【００２２】
又、前記カバー２０の取付桟２０’の裏側には、前記ミシン目刃１８の刃先受け２４が取り付けられている。その刃先受け２４は、スポンジ材等で構成され、カバー２０を閉じた時、フィルム４’を挟んでミシン目刃１８と刃先受け２４が対向するように配置されている。
【００２３】
エレベータ２の下方に配置される計量台１０には、図１に示すように包装完了の被包装物ａ’が排出される側の側縁に、内側面が内方に傾斜するガイド突起１４が起立形成されている。このガイド突起１４は、エレベータ２上に載承された被包装物ａが計量台１０の所定位置に載るように位置修正すると共に、計量完了後、再びエレベータ２に載せて包装部ｂに張架されたフィルム４’に突き上げる時、被包装物ａが包装部ｂの略中央位置に位置するようにするものである。
【００２４】
又、前記ヒートシール部９には包装完了した被包装物ａ’の有無を検出する取除きセンサ１５が配置され、その取除きセンサ１５と包装部ｂに配置されている物品検出センサ１３との間には安全センサ１６が配置されている。
安全センサ１６は、ヒートシール部９付近にオペレータの手等が存在しないかを検出するセンサで、少なくとも該センサ１６の監視範囲内にオペレータの手等がないことを確認した場合、包装サイクルがスタートされる。
即ち、包装部ｂに配置した物品検出センサ１３が被包装物ａの存在を検出して「ＯＮ」、取除きセンサ１５及び安全センサ１６がともに被包装物無しやオペレータの手無し等を検出して「ＯＦＦ」の場合に、包装スタートが可能となる。尚、品番等を入力した１個目は前記条件（物品検出センサ１３：ＯＮ、取除きセンサ１５：ＯＦＦ、安全センサ１６：ＯＦＦ）でスタートキーを操作することで包装動作が開始されるが、その後は前記条件が揃うことで包装動作がスタートする。
【００２５】
次に、上記した包装機のフィルムセットを図９乃至図１３に基づいて説明する。
(1)先ず、ロール配置部３にフィルムロール４をセットし、そのフィルムロール4の上方側部に配置されたカバー２０を開ける（図９参照）。
(2)次に、その開いたカバー２０の内側に取り付けられているフィルム先端保持手段１９を構成するフィルム保持部材１９ａ，１９ｂに、フィルムロール４から引き出したフィルム先端を被せ、密着係止する（図１０参照）。
フィルム先端をフィルム保持部材１９ａ，１９ｂに密着係止する手順は、先ずフィルム先端の幅方向両側部をフィルム保持部材１９ａ，１９ｂの係止面２３に被せ（図１１（ａ）参照）、フィルム保持部材１９ａ，１９ｂより外側に突出するフィルムの側部をフィルム保持部材１９ａ，１９ｂの裏側に折り返し（図１１（ｂ）参照）、それによりフィルム先端をフィルム保持部材１９ａ，１９ｂに亘って係止する。
(3)フィルム先端をフィルム先端保持手段１９に係止した後、カバー２０を閉じる（図１２参照）。カバー２０が閉じられることで、該カバー２０の内側に設けられたフィルム先端保持手段１９の先部、即ち、フィルム保持部材１９ａ，１９ｂの水平片２１ａの先部はフィルム搬送手段５の始端側における上下のベルト間に差し込まれる（図８参照）。そして、フィルム搬送手段５が駆動されると、フィルム先端保持手段１９に係止されたフィルム先端はフィルム搬送手段５を構成する上下ベルトの駆動で引き込まれ、フィルム搬送手段５方向に移送され、フィルムセットが完了する。
【００２６】
これにより、フィルム搬送手段５の始端側に設置されたフィルム挟持部１２を通過して下流側に位置するフィルムの先端部が、該搬送手段の駆動で挟着されて所定長さ引き出され、所定長さ引き出された位置で前記ミシン目刃１８が作動してフィルム４にミシン目が形成され（図１３（ａ）参照）、そのミシン目部分がフィルム挟持部１２を通過した位置まで搬送され、ミシン目がフィルム挟持部１２を通過した時該フィルム挟持部１２が作動してフィルムの移動を止める（図１３（ｂ）参照）。それにより、フィルム挟持部１２より下流側に位置するフィルムはフィルム搬送手段５の駆動で下流側に引っ張られるため、ミシン目部分で引き裂かれ、切断された所定長さのフィルム４’は包装部ｂに張架保持される。
【００２７】
次に、上記した包装機による包装工程を図１４乃至図１８に基づいて説明する。
▲１▼先ず、エレベータ２が上限位置に位置するのを確認して、エレベータ２上に被包装物ａを載置する。そして、被包装物ａがエレベータ２上に載置されたことは物品検出センサ１３で検出される（図１４参照）。
▲２▼物品検出センサ１３が被包装物ａの存在を検出すると、エレベータ２は下降を開始し、エレベータ２上に載置された被包装物ａの上端が包装部ｂより下方に位置するよう移動する（図１５参照）。
▲３▼被包装物ａの上端が包装部ｂより下方に位置すると、フィルム搬送手段５が作動してフィルムロール４からフィルムを引き出すと共に、フィルム挟持部１２の作動で該フィルム４’をミシン目で切断し、その所定長さのフィルム４’を包装部ｂに張架する。そして、下降するエレベータ２が下限位置に到達すると、該エレベータ２の櫛歯状をなした上面板２０１の隙間に計量台１０が嵌入突出してエレベータ２上に載承されていた被包装物ａを計量台１０上に載せ換え、被包装物ａの重量を計量する（図１６参照）。
▲４▼計量台１０による計量が完了すると、下限位置に位置するエレベータ２は上昇を開始し、計量台１０に載っている被包装物ａを再びエレベータ２上に載せて上昇する。そして、包装部ｂに張架されたフィルム４’に被包装物ａを突き上げて該被包装物ａの上面をフィルム４’で包む（図１６の二点鎖線の状態参照）。
▲５▼エレベータ２が包装部ｂを通過すると、左右折込み板６，６’が包装部ｂの中心方向に移動して被包装物ａを包むフィルム４’の端部を該被包装物ａの底面側に折り込む。このフィルム端部の折り込みは、被包装物ａを載承するエレベータヘッドが左右折込み板６，６’の移動で倒れることで行われる（図１７参照）。▲６▼左右折込み板６，６’によるフィルム端部の折り込みに続いて、後折込み板７が作動して後側のフィルム端部を被包装物ａの底面側に折り込む（図１８参照）。そして、後折込み板７による折込みが完了すると、排出プッシャー８が作動して三方のフィルム端部の折込みが終わった被包装物ａをヒートシール部９に向けて押動排出する。この時、まだ折り込まれていない前側のフィルム端部は、ヒートシール部９の手前に配置された前折込み用ローラ２６上を通過することで底面側に折り込まれ、ヒートシール部９で折り込まれた各フィルム端部の重なり部がヒートシールされる（図１８参照）。包装を完了した被包装物ａ’がヒートシール部９から取除かれ、取除きセンサ１５が被包装物無しを検出し、且つ安全センサ１６もオペレータの手がヒートシール部付近に無いことを検出した時、次の包装工程がスタートする。
【００２８】
図１９はフィルム先端保持手段１９を構成するフィルム保持部材１９ａ，１９ｂのうち、一方のフィルム保持部材１９ｂをフィルムの幅方向に移動自在として位置調整可能としたものである。その移動方式としては、フィルムの幅方向にスライド自在とし、所定の位置でネジ締め固定する方式、或いは予めフィルムの種類に応じてセット用の孔を複数設け、フィルムの幅に応じたセット用孔にフィルム保持部材１９ｂをセット固定する方式等、何れでもよい。
【００２９】
前記したフィルム先端保持手段１９は、２個のフィルム保持部材１９ａ，１９ｂで構成された形態について説明したが、フィルム先端保持手段１９は図２０に示すように、１枚のアングル材２５における水平片２５ａに切欠部２２を複数個並設した櫛歯状に形成してもよい。尚、切欠部２２は、アングル材２５の全長に亘って等間隔に形成してもよいが、同包装機で使用されるフィルム幅が最小のものから最大のものまでの数種類に対応できるように、一側部に切欠部２２を１個形成し、他側部に最小幅から最大幅までの数種類に対応する切欠部２２を間隔をおいて複数個（図示は３個）形成してもよい。
尚、図中、２７はコンソール部、２８はラベルプリンタである。
【００３０】
本発明に係るストレッチフィルム包装機は図示した実施の形態に限定されず、下記の包装機にも適用できるものである。
（ａ）フィルム先端保持手段１９を構成するフィルム保持部材は金属材に限らず、プラスチック等の密着性のある材質であればよい。
（ｂ）フィルム先端保持手段１９の配設位置は図示のカバーに限定されない。フィルムセット時に、フィルム先端保持手段に係止したフィルムを、フィルム搬送手段の始端部へ移送できればよい。
（ｃ）実施の形態は被包装物をエレベータ上に直接載置する、所謂インフィードコンベアを備えない包装機であるが、インフィードコンベアを備えたタイプの包装機にも適用できるものである。
【００３１】
【発明の効果】
本発明のストレッチフィルム包装機は請求項１記載の構成により、操作しやすい第１の位置でフィルム先端保持手段にフィルム先端部を係止して該フィルム先端保持手段を第２の位置へ移動させることで、フィルム先端部を容易にフィルム搬送手段の始端部へ挟持させることができる。この為、包装機をコンパクトに構成でき、包装機を安価に製作することができる。
又、請求項２記載の構成により、カバーの内側に配設してあるフィルム先端保持手段にフィルム先端を係止して該カバーを閉めるだけで、フィルム先端部をフィルム搬送手段の始端部に移送することができるため、フィルムセットを容易に行うことができる。
【００３２】
更に、請求項３記載の構成により、フィルム先端保持手段を軽量で簡素化できる。
また、請求項４記載の構成により、包装機に装着するフィルム幅に応じて、フィルム保持部材の一方又は両方を移動することで、様々なフィルム幅のフィルムに対応することができる。
更に又、請求項５記載の構成により、前記したようにフィルム保持部材の一方又は両方を移動させずに、様々なフィルム幅のフィルムに対応することができる。
請求項６、７記載の構成により、フィルム先端部をフィルム先端保持手段に確実に係止保持でき、フィルム先端保持手段の移動時にフィルム先端部が該フィルム先端保持手段から外れるのを防止できる。それにより、フィルムセットの失敗を防止することができる。
【図面の簡単な説明】
【図１】本発明に係るストレッチフィルム包装機の一実施例を示す縦断正面図である。
【図２】同縦断側面図である。
【図３】同横断平面図である。
【図４】要部の拡大断面図である。
【図５】フィルム先端保持手段を構成するフィルム保持部材を示す斜視図である。
【図６】フィルム先端を係止したフィルム先端保持手段を、フィルム挟持部に差し込んだ状態を示す拡大平面図である。
【図７】図６の（７）−（７）線に沿える断面図である。
【図８】図６の（８）−（８）線に沿える断面図である。
【図９】フィルムセットの手順を示す説明図で、フィルム先端保持手段を配設したカバーを開いた状態図である。
【図１０】同カバーに配設されたフィルム先端保持手段にフィルム先端を係止する状態図である。
【図１１】フィルム先端を係止する状態を示す拡大図で、（ａ）はフィルム先端をフィルム保持部材の表面に被せる状態図、（ｂ）はフィルム先端を係止した後、フィルムの端をフィルム保持部材の裏側に折り返して止めた状態図である。
【図１２】フィルム先端をフィルム先端保持手段に係止した後、カバーを閉じる状態図である。
【図１３】フィルム先端保持手段がフィルム挟持部に差し込まれた後、フィルム先端がフィルム搬送手段に移送される工程を示し、（ａ）はミシン目刃が作動してミシン目が形成される状態図、（ｂ）はそのミシン目部分でフィルムが切断された状態図である。
【図１４】同包装機による包装工程を示す説明図で、エレベータ上に被包装物を載置する状態を示す図である。
【図１５】被包装物を載承したエレベータが下降する状態を示す図である。
【図１６】エレベータが下限位置に位置して被包装物の計量を行う状態を示
す図である。
【図１７】フィルム端部の折込みを示す図である。
【図１８】後折込みから排出までの状態を示す図である。
【図１９】フィルム先端保持手段を構成する２個のフィルム保持部材のうち、片方を可動式とした構造を示す平面図である。
【図２０】フィルム先端保持手段を構成するフィルム保持部材を１枚の櫛歯状とした構造を示す平面図である。
【符号の説明】
Ａ…包装機                ａ…被包装物
ｂ…包装部                １…機枠
２…エレベータ            ４…フィルムロール
４’…フィルム              ５…フィルム搬送手段
１２…フィルム挟持部      １９…フィルム先端保持手段
１９ａ、１９ｂ…フィルム保持部材    ２０…カバー
２３…係止面
【図１】
0004039116.tif 000002
【図２】
0004039116.tif 000003
【図３】
0004039116.tif 000004
【図４】
0004039116.tif 000005
【図５】
0004039116.tif 000006
【図６】
0004039116.tif 000007
【図７】
0004039116.tif 000008
【図８】
0004039116.tif 000009
【図９】
0004039116.tif 000010
【図１０】
0004039116.tif 000011
【図１１】
0004039116.tif 000012
【図１２】
0004039116.tif 000013
【図１３】
0004039116.tif 000014
【図１４】
0004039116.tif 000015
【図１５】
0004039116.tif 000016
【図１６】
0004039116.tif 000017
【図１７】
0004039116.tif 000018
【図１８】
0004039116.tif 000019
【図１９】
0004039116.tif 000020
【図２０】
0004039116.tif 000021